(57)【特許請求の範囲】
【請求項１】
脱硫装置（２００）とリフォマー（１００）とＣＯ転換器（６）とＰＳＡ（１４）とを備える天然ガス型水素発生装置において、リフォマー（１００）から排出される高温の燃焼ガスを脱硫装置（２００）に供給して脱硫装置（２００）を直接予熱させるためリフォマー（１００）と脱硫装置（２００）とを連通させる第１のパイプライン（２６）と、前記リフォマー（１００）に空気を供給するための第２のパイプライン（２３）上に設置されリフォマー（１００）に供給される空気の量を調節するための第１のバルブ手段（３０２）と、前記第１のバルブ手段（３０２）を介在して両端部がそれぞれ第２のパイプライン（２３）に連通される第３のパイプライン（２５）とリフォマー（１００）で生産されて排出される生産ガスをＣＯ転換器（６）に供給するための第４のパイプライン（５）とを熱交換させて高温の生産ガスを冷却させるための熱交換機（３００）と、前記第３のパイプライン（２５）の所定位置に装着され第３のパイプライン（２５）に供給される空気の量を調節するための第２のバルブ手段（３０１）とを含むことを特徴とする天然ガス型水素発生装置。
【請求項２】
前記リフォマー（１００）は、内部に中空を有する円筒形状のケーシング（１０１）と、前記ケーシング（１０１）の中空の中心方向に固定設置されて所定直径及び長さを有す燃焼管（１０４）と、前記燃焼管（１０４）から所定間隔を置いて燃焼管（１０４）を取囲み、内側空間に垂直に固定設置される改質管（１０２）と、前記改質管（１０２）の底面から所定間隔を置いて前記改質管（１０２）の内側空間に垂直に固定設置されて改質管（１０２）の内部空間を分離する改質管分離板（１０３）と、前記改質管（１０２）の外周面にコイル形状に巻取され、両端部が前記ケーシング（１０１）を貫通して外部に延長される水蒸気生産用コイル（１０５）と、前記ケーシング（１０１）の上面中央部にケーシング（１０１）の中空と連通され、前記水蒸気生産用コイル（１０５）の一端部と連通される天然ガス原料注入口（１０１ａ）と、前記改質管（１０２）の内側面と前記改質管分離板（１０３）の内側面間に充填されるリフォマー触媒（１１０）と、前記燃焼管（１０４）の内側上部と下部にそれぞれ固定設置される燃焼触媒と、前記ケーシング（１０１）の下面中央部に内部中空と連通されるよう延長形成されてヒーター（２４）に連結されるエア注入口（１０１ｄ）と、前記エア注入口（１０１ｄ）の所定位置に連通されて分岐される天然ガス燃料パイプ（１０８）と、前記ケーシング（１０１）の所定位置に改質管（１０２）の外側面とケーシング（１０１）の内側面間の空間に連通される燃焼ガス排出口（１０１ｂ）と、前記ケーシング（１０１）の所定位置に前記改質管（１０２）の内部空間と連通される生産ガス排出口（１０１ｃ）とを備えることを特徴とする請求項１記載の天然ガス型水素発生装置。
【請求項３】
前記脱硫装置（２００）は、内部に中空を有し、上部及び下部所定位置にそれぞれ天然ガス入口（２０１ａ）及び天然ガス出口（２０１ｂ）が内部中空と連通され、外周面の所定位置にそれぞれ燃焼ガス入口（２０１ｄ）及び燃焼ガス出口（２０１ｃ）が内部中空と連通されるケーシング（２０１）と、所定長さを有し、内部空間の上部から水添脱硫触媒層（２０３）及び硫化水素吸収触媒層（２０４）が順次充填され、前記ケーシング（２０１）の内部中空に垂直に固定設置される多数のピンチューブ（２０２）とを備えることを特徴とする請求項１記載の天然ガス型水素発生装置。
【請求項４】
前記第１のパイプライン（２６）は一端部が前記脱硫装置（２００）の燃焼ガス入口（２０１ｄ）に連通され、他端部が前記リフォマー（１００）の燃焼ガス出口（１０１ｂ）に連通されることを特徴とする請求項１、２又は３記載の天然ガス型水素発生装置。
【請求項５】
前記燃焼触媒としては、所定直径及び長さを有する円筒形状を有し、前記燃焼管（１０４）の内側上部と下部にそれぞれ固定設置され、パラジウム及び貴金属を添加して製造される二つの燃焼触媒（１０６、１０７）を使用することを特徴とする請求項２記載の天然ガス型水素発生装置。
【請求項６】
前記燃焼触媒としては、所定直径及び長さを有する円筒形状を有し、パラジウム系金属で被覆されて前記燃焼管（１０４）の下部に固定設置される触媒（１５０ｂ）と、数枚の円形ワイヤ網で形成されてパラジウムで被覆されて前記触媒（１５０ｂ）の上側に固定設置される触媒（１５０ａ）とから構成される燃焼触媒（１５０）を使用することを特徴とする請求項２記載の天然ガス型水素発生装置。
【請求項７】
前記水蒸気生産用コイル（１０５）は一端部が前記ケーシング（１０１）の外周面の所定位置を貫通し外部に延長されて水供給口（１０５ａ）を形成し、他端部が前記ケーシング（１０１）の外周面の所定位置を貫通し外部に延長されて水蒸気出口（１０５ｂ）を形成することを特徴とする請求項２記載の天然ガス型水素発生装置。
【請求項８】
前記水蒸気出口（１０５ｂ）は前記天然ガス原料注入口（１０１ａ）と連通されることを特徴とする請求項２又は７記載の天然ガス型水素発生装置。
【請求項９】
前記ピンチューブ（２０２）は三つ以上設置されることを特徴とする請求項３記載の天然ガス型水素発生装置。
【請求項１０】
前記天然ガス燃料パイプ（１０８）の所定位置に連通されるよう分岐されて前記燃焼管（１０４）の内部に所定高さに垂直延長され、上部外周面に多数の噴射孔（１０９ａ）が貫通形成されて、燃焼触媒に燃料を噴射する燃料噴射管（１０９）を包含することを特徴とする請求項２又は５記載の天然ガス型水素発生装置。
【請求項１１】
前記燃料噴射管（１０９）は所定位置に燃料供給の断続及び燃料量調節のためのバルブ手段（１０９ｂ）を備えることを特徴とする請求項１０記載の天然ガス型水素発生装置。
【発明の詳細な説明】
【０００１】
【発明の属する技術分野】
本発明は天然ガス型水素発生装置に関するもので、より詳しくは天然ガス及び水を原料として追加の装置なしに高純度水素を自体的に直接生産するようにした天然ガス型水素発生装置に関するものである。
【０００２】
【従来の技術】
一般に、天然ガスから水素を生産する方式は水蒸気改質法（Steam Reforming）と部分酸化法（Partial Oxidation）とオートサーマル改質法（Autothermal Reforming）等がある。
【０００３】
前記のような従来の水素生産方式のうち、部分酸化法とオートサーマル改質法は別の酸素を供給すべきである制約条件等のため経済性面で前記水蒸気改質法に比べて劣等であるので、水蒸気改質法が広く使用されている。
【０００４】
従って、本明細書では水蒸気改質法を用いる水素発生装置に限定して説明する。
【０００５】
前記従来の水蒸気改質工程は炭化水素と過熱水蒸気を反応させる改質過程と改質生成ガスから水素を回収する精製回収過程とに区分され、炭化水素の原料としては天然ガス、プロパン、ブタン又はナフサ等を使用し、天然ガスを原料として使用する水蒸気改質法を具体的に調べると、天然ガスの主成分はメタンであり、天然ガス水蒸気改質反応は次のようである。
【０００６】
ＣＨ４＋Ｈ２Ｏ＝３Ｈ２＋ＣＯ    ΔＨ＝２０６KJ／gmol・・・（１）
前記（１）の反応は天然ガスが水蒸気と改質触媒（通常ニッケル系触媒）反応して水素及び一酸化炭素が発生する反応である。この反応は強い吸熱反応で、外部から熱を供給受けるべきであり、反応圧力は常圧〜２０気圧、反応温度５００〜１，０００℃程度を維持する。又、逆反応であるメタン反応及び触媒上でのコークス形成の抑制のため、水蒸気を過量で供給し、天然ガスの場合、水蒸気／炭化水素のモル（Mole）比は３〜３．５程度を維持する。
【０００７】
通常、大型水素プラントのリフォマーは大型炉内に多数の触媒チューブを設置して前記反応を遂行し、運転温度が９００〜１，０００℃程度である高温にもかかわらず熱効率が６０〜７０％程度で低い方である。
【０００８】
一方、反応（１）とともに一酸化炭素が水素に転換する反応が起こり、その反応は次のようである。
【０００９】
ＣＯ＋Ｈ２Ｏ＝Ｈ２＋ＣＯ２      ΔＨ＝−４１KJ／gmol・・・（２）
前記反応（２）はウォーターガス転換反応（Water Gas Shift Reaction）と呼ばれ、反応温度が低くなるほどに一酸化炭素の転換率が高くなり、反応圧力は常圧〜２０気圧、反応温度は１８０〜３００℃程度を維持する。特に、リフォマーの出口での一酸化炭素の濃度がかなり高くなるが、リフォマーは高温で運転されるので、一般にリフォマーの後端に熱交換機を設置してガスの温度を低め、転換反応器（通常Ｃｕ系触媒が充填される）を通過して一酸化炭素の濃度を低めながら水素の収率を高める。
【００１０】
又、天然ガス中には漏洩感知の目的で硫化合物の付臭剤が微量包含されている。この硫黄成分はリフォマー触媒を被毒させて性能を低下させるので、かならず脱硫装置により前処理すべきである。このため、水添脱硫触媒及び硫化水素（Ｈ２Ｓ）吸収触媒が充填された脱硫反応器がリフォマーの前端に設置されて、これは通常１５０〜３５０℃の反応温度を維持する。
【００１１】
前記のような脱硫反応器の運転条件到達が全体システムのスタートアップ（Start-up）時間を主に左右する。従来には脱硫反応器を電気ヒーターで予熱するか窒素を流しながら工程の熱を熱交換して間接的に予熱し、原料である水を水蒸気に転換させるためガスボイラーを別に設置し、脱硫反応器を予熱するため反応器内の電気ヒーターを設置した。
【００１２】
【発明が解決しようとする課題】
しかしながら、前記のような工程及び構造を有する従来の天然ガス型水素発生装置は、脱硫反応器を予熱するため電気ヒーターを使用するため、ヒーターコイルの周辺に局部的に高温が発生して脱硫触媒に悪影響を及ぼし得るだけでなく、電気消耗量が多すぎて維持費用が高く、水蒸気を発生させるため別のガスボイラーを設置するため、設備が過大になることは勿論脱硫反応器内に電気ヒーターを設置することがややこしくて組立生産性が著しく低下し、リフォマーから排出される高温の水素包含生産ガスが転換反応器に到達するまで熱回収及び活用されなくて、全体熱効率が著しく低下する問題点があった。
【００１３】
従って、本発明は前記のような従来の問題点に鑑みて案出されたもので、その目的は、水蒸気改質方式を用いる水素発生装置において、装置の設備部品数を大幅削除してコンパクト化して製作単価を著しく節減し、設置空間を最小化して設置費用を低廉にするだけでなく、脱硫反応器内に電気ヒーターを設置する必要がなくなって組立生産性を向上させることは勿論システムのスタート−アップ時間を短縮し熱効率を極大化し得る天然ガス型水素発生装置を提供することにある。
【００１４】
【課題を解決するための手段】
このような本発明の目的は、脱硫装置とリフォマーとＣＯ転換器とＰＳＡ装置を備える天然ガス型水素発生装置において、リフォマーから排出される高温の燃焼ガスを脱硫装置に供給して脱硫装置を直接予熱させるため、リフォマーと脱硫装置とを連通させる第１のパイプラインと、前記リフォマーに空気を供給するための第２のパイプライン上に設置され、リフォマーに供給される空気の量を調節するための第１のバルブ手段と、前記第１のバルブ手段を介在して両端部がそれぞれ第２のパイプラインに連通される第３のパイプラインとリフォマーで生産されて排出される生産ガスをＣＯ転換器に供給するための第４のパイプラインとを熱交換させて高温の生産ガスを冷却させるための熱交換機と、前記第３のパイプラインの所定位置に装着され、第３のパイプラインに供給される空気量を調節するための第２のバルブ手段とを含む天然ガス型水素発生装置により達成できる。
【００１５】
【発明の実施の形態】
以下、本発明による天然ガス型水素発生装置の好ましい実施例を説明する。
【００１６】
図１は本発明による天然ガス型水素発生装置の工程系統図であり、図２及び図３は本発明によるリフォマーの第１及び第２実施例の構造を示す断面図であり、図４は本発明による脱硫装置の構造を示す断面図である。
【００１７】
図１乃至図４に示すように、本発明による天然ガス型水素発生装置はリフォマー１００と脱硫装置２００と熱交換機３００とＰＳＡ装置１４とパイプライン２３、２５、２６とバルブ手段３０１、３０２とを包含する。
【００１８】
図１は本発明による天然ガス型水素発生装置の系統図を示す。同図に示すように、給水タンク１はパイプライン３により熱交換機４を介してリフォマー１００の給水口１０５ａに連通され、給水タンク１内に貯蔵されている水はポンプ２により加圧されて前記パイプライン３を介してリフォマー１００に供給される。
【００１９】
前記リフォマー１００の生産ガス出口１０１ｃはリフォマー１００で生産される高温の生産ガスがＣＯ転換機６に供給されるよう、第４のパイプライン５により熱交換機３００を介してＣＯ転換機６の入口に連通される。
【００２０】
前記ＣＯ転換機６の出口はパイプライン７により熱交換機８を介して分離器９に連通される。
【００２１】
前記パイプライン７は前記熱交換機８を経ながら、冷水を供給するパイプライン１０と熱交換して、パイプライン７を通過して分離器９に送られる生産ガスを常温に冷却させる。
【００２２】
前記分離器９では生産ガスとともに供給された未反応水が分離されて排水された後、生産ガス中の微量は脱硫反応用水素供給のためパイプライン１１を介して圧縮機１２の入口側に供給され、残りの大部分の生産ガスはパイプライン１３を介してＰＳＡ装置１４に供給されＰＳＡ装置１４により高純度水素に精製される。
【００２３】
前記ＰＳＡ装置１４では水素を除くＣＯ、ＣＯ２、ＣＨ４、Ｈ２Ｏを吸着除去するための分子篩（Molecular Sieve）が充填されており、３気圧運転、真空再生段階がベッド（Bed）別に交互に進行されながら高純度水素が連続的に生産され、真空再生時に発生されるオフガス（Off Gas）はパイプライン１５を通過し真空ポンプ１６によりタンクに貯蔵されて前記リフォマー１００の燃料として使用され、ＰＳＡ装置１４で生産された高純度水素はパイプライン１７を通過し圧縮機１８により加圧されて生産ガスタンク１９に貯蔵される。
【００２４】
又、天然ガスは圧縮機１２により加圧されてからパイプライン２０を通過して天然ガスタンク２１に貯蔵され、前記天然ガスタンク２１はパイプライン２２を介して脱硫装置２００に連結される。
【００２５】
前記リフォマー１００に注入される空気は第１のパイプライン２３を通過しヒーター２４で予熱されてからリフォマー１００のエア入口１０１ｄを介して供給され、前記パイプライン２２から分岐された天然ガス燃料パイプ１０８は前記エア入口１０１ｄに連通されて、リフォマー１００に空気混合燃料が供給されるように構成されている。
【００２６】
前記第２のパイプライン２３の所定位置には第１のバルブ手段３０２が装着されて、ヒーター２４に供給される空気量を調節し得ることになり、前記第２のパイプライン２３には前記ヒーター２４と第１のバルブ手段３０２との間、つまりパイプライン２３の左側所定位置に一端部が分岐されて連結され前記熱交換機３００を介して前記第１のバルブ手段３０２の右側のパイプライン２３の所定位置に連通される第３のパイプライン２５が形成され、前記第３のパイプライン２５上の熱交換機３００と第２のパイプライン２３との間には第２のバルブ手段３０１が装着されて、第４のパイプライン５を通過するリフォマー１００で生産されて高温の生産ガスと前記熱交換機３００で熱交換するように空気量を調節するように構成される。
【００２７】
前記脱硫装置２００は前記リフォマー１００で発生する高温の燃焼熱が第１のパイプライン２６を介して脱硫装置２００に供給されることにより予熱される。
【００２８】
前記第１のパイプライン２６の一端部は前記脱硫装置２００に連通され、他端部は前記リフォマー１００の燃焼ガス出口１０１ｂに連通される。この時、パイプライン３は熱交換機４を介してなるので、この時パイプライン３に従って供給された水が高温の燃焼熱によって予熱させる。前記脱硫装置２００により脱硫された燃料は前記リフォマー１００にパイプライン２７により供給される。
【００２９】
前記パイプライン２７の一端部は前記脱硫装置２００の出口に連通され他端部はリフォマー１００の天然ガス原料注入口１０１ａに連通される。
【００３０】
図２は本発明によるリフォマーの第１実施例の構造を示す断面図で、前記リフォマー１００は概略的にケーシング１０１と、改質管１０２と、改質管分離板１０３と、燃焼管１０４と、水蒸気生産用コイル１０５とを備える。
【００３１】
前記ケーシング１０１は内部に中空が形成され所定直径及び長さを有するよう形成され、上面部、側面部及び下面部に天然ガス原料注入口１０１ａと、燃焼ガス出口１０１ｂ及び生産ガス出口１０１ｃと、エア入口１０１ｄどを有し、断熱材により断熱処理される。
【００３２】
前記天然ガス原料注入口１０１ａは前記ケーシング１０１の上面中央部で内部中空と連通されて上方に延長形成され、前記燃焼ガス出口１０１ｂと生産ガス出口１０１ｃは外周面の上部所定位置で内部中空と連通されて外部に延長形成される。
【００３３】
前記エア入口１０１ｄは前記ケーシング１０１の下面部の中央部で下方に延長形成される。
【００３４】
前記ケーシング１０１の内部中空には前記改質管１０２と、改質管分離板１０３と、燃焼管１０４と、水蒸気生産用コイル１０５とがそれぞれ固定設置される。
【００３５】
前記燃焼管１０４は所定直径と長さを有する円筒形状で、下端部がケーシング１０１の内部中空の底面に密着されて垂直に固定設置され、前記ケーシング１０１のエア入口１０１ｄは前記燃焼管１０４と連通され、燃焼管１０４の上下部には燃焼触媒１０６、１０７がそれぞれ所定設置される。
【００３６】
前記燃焼触媒１０６、１０７は円筒構造を有し、パラジウム及び貴金属を添加して製作した触媒を使用する。
【００３７】
前記ケーシング１０１のエア入口１０１ｄの所定位置には天然ガス燃料パイプ１０８が連通され、前記天然ガス燃料パイプ１０８の所定位置には燃料噴射管１０９が分岐され前記ケーシング１０１の下面を貫通し前記燃焼管１０４の内部空間の中央部に所定長さで垂直に固定設置され、上端部側外周面に多数の噴射孔１０９ａが形成され、下端部にはバルブ１０９ｂが装着される。
【００３８】
前記改質管１０２は断面が逆帽子形状を有し、前記燃焼管１０４から所定間隔を有し、所定直径及び長さを持って上方に延長され上端で折曲形成される凹部１０２ａを有し、上端部は前記ケーシング１０１の内部中空の上部内周面に沿って密封接合されてケーシング１０１の内部中空を分割し、下面部はケーシング１０１の内部中空底面から所定間隔を置いて燃焼ガスの流動路を形成する。
【００３９】
前記改質管分離板１０３は所定直径と長さを有する円筒で、上端部が漏斗形状をなすよう所定角度に外向折曲されて前記ケーシング１０１の内部中空の上端内周面に沿って密封接合され、下端部は改質管１０２の底面から所定間隔を置いて改質管１０２の内部空間を区画するように固定設置される。
【００４０】
前記水蒸気生産用コイル１０５は所定直径を有する管形状に形成され、前記改質管１０２の外周面に螺旋形に密着巻取され、一端部は前記ケーシング１０１の外周面の所定位置で外部に貫通延長される給水口１０５ａであり、他端部は前記ケーシング１０１の外周面の所定位置で外部に貫通延長される水蒸気出口１０５ｂである。
【００４１】
前記水蒸気出口１０５ｂは前記ケーシング１０１の天然ガス原料注入口１０１ａに連通される。
【００４２】
前記改質管１０２と改質管分離板１０３間の内側空間にはリフォマー触媒１１０が充填され、前記リフォマー触媒１１０としてはニッケル系触媒を使用する。
【００４３】
図３は本発明による第２実施例の構造を示す断面図である。同図に示すように、全体構造は前記リフォマー１００の第１実施例と同様であるが、ただ燃焼管１０４に設置される燃焼触媒１５０が異なり、前記燃焼触媒１５０の特性により燃料噴射管１０９が除去されたものである。
【００４４】
前記燃焼触媒１５０は金属製の円筒形構造物にパラジウム系金属を着せた燃焼触媒１５０ｂと、数枚の円形ワイヤ網にパラジウム等を着せた燃焼触媒１５０ａとから構成されて前記燃焼管１０４の下部に固定設置される。燃料とエアの混合物は燃焼触媒１５０ｂと燃焼管１０４間の狭い空間を通過しつつ約４０％１次燃焼され、残りの未燃焼燃料は燃焼触媒１５０ａを通過しつつ完全燃焼されるように構成される。
【００４５】
図４は本発明による脱硫装置２００の構造を示す断面図である。同図に示すように、本発明による脱硫装置２００は概略的にケーシング２０１と多数のピンチューブ２０２とから構成される。
【００４６】
前記ケーシング２０１は内部に中空を有し上下部が対向ドーム形状を有する円筒形状で、上面に天然ガス入口２０１ａが前記内部中空と連通されるように形成され、下面には天然ガス出口２０１ｂが前記内部中空と連通され、外周面の所定位置には燃焼ガス出口２０１ｃ及び燃焼ガス入口２０１ｄがそれぞれ内部中空と連通されるように一体に形成され、内部中空には多数、より好ましく三つ以上のピンチューブ２０２が垂直に固定設置される。
【００４７】
前記ピンチューブ２０２は内部下側に硫化水素（Ｈ２Ｓ）吸収触媒２０４が充填され、前記硫化水素吸収触媒２０４の上側には水添脱硫触媒２０３が充填される。
【００４８】
前記脱硫装置２００の天然ガス入口２０１ａはパイプライン２２により天然ガス貯蔵タンク２１に連通されて、天然ガスを供給受ける。
【００４９】
前記天然ガス出口２０１ｂはパイプライン２７により前記リフォマー１００の天然ガス原料注入口１０１ａに連通されて、脱硫処理された天然ガスをリフォマー１００に供給する。
【００５０】
前記燃焼ガス入口２０１ｄは前記第１のパイプライン２６により前記リフォマー１００の燃焼ガス出口１０１ｂに連通されて、前記リフォマー１００から排出される高温の燃焼ガスを受けて予熱され、前記燃焼ガス出口２０１ｃを介して中空内に流入された燃焼ガスを排出するように構成される。
【００５１】
このように構成された本発明による天然ガス型水素発生装置は、エア供給用第２のパイプライン２３上にヒーター２４に供給される空気量を調節するための第１のバルブ手段３０２を設置し、前記第１のバルブ手段３０２を介在して両端部が前記第２のパイプライン２３に連通され、所定位置に空気量調節のための第２のバルブ手段３０１が設置された第３のパイプライン２５を形成し、前記第３のパイプライン２５と第４のパイプライン５を熱交換させて、リフォマー１００で生産された高温の生産ガスを冷却させるための熱交換機３００をさらに設置し、このような構造を有するリフォマー１００と脱硫装置２００の燃焼ガス出口１０１ｂと燃焼ガス入口２０１ｄを前記第１のパイプライン２６により連通させて、脱硫装置２００を予熱するための別のボイラー設備又は電気ヒーターを設置しなく、リフォマー１００で発生する高温の燃焼ガスで脱硫装置２００を全体的に均一に直接予熱させることにより、全体スタート−アップ時間を短縮させ、ＣＯ転換器６の初期運転到達時間を短縮させて最適温度条件を維持し熱効率を著しく向上させ得るものである。
【００５２】
【発明の効果】
以上説明したように、本発明による天然ガス型水素発生装置は、リフォマー１００及び脱硫装置２００の構造を変更し相互連通させ、リフォマー１００の作動時に発生する高温の燃焼ガスを前記脱硫装置２００に供給して直接予熱させて全体スタート−アップ時間を短縮させ、エア供給用第２のパイプライン２３上に空気量調節用第１のバルブ手段３０２と、前記第３のパイプライン２５上に設置されて空気量を調節するための第２のバルブ手段３０１と、前記第３のパイプライン２５と第４のパイプライン５を熱交換させて、リフォマー１００で生産されて排出される生産ガスを冷却させるための熱交換機３００とをさらに備えることにより、前記ＣＯ転換器６の初期運転到達時間を短縮させ最適温度条件を維持し熱効率を著しく向上させ得るだけでなく、前記構造及び作用により別の脱硫装置の予熱設備が削除されるので、製作単価は勿論設置及び維持管理費が非常に低廉になり、水素発生装置を小型化し得る効果があるものである。
【図面の簡単な説明】
【図１】本発明による水素発生装置の工程系統図である。
【図２】本発明によるリフォマーの一実施例の構造を示す断面図である。
【図３】本発明によるリフォマーの他の実施例の構造を示す断面図である。
【図４】本発明による脱硫装置の構造を示す断面図である。
【符号の説明】
１００…リフォマー、１０１…ケーシング、１０２…改質管、１０３…改質管分離板、１０４…燃焼管、１０５…水蒸気発生コイル、１０６、１０７、１５０  …燃焼触媒、１０８…天然ガス燃料注入口、１０９…燃料噴射管、１１０…リフォマー触媒、２００…脱硫装置、２０１…ケーシング、２０２…ピンチューブ、２０３…水添脱硫触媒、２０４…硫化水素吸収触媒、３００…熱交換機、３０１、３０２…バルブ手段
【図１】
0004090097.tif 000002
【図２】
0004090097.tif 000003
【図３】
0004090097.tif 000004
【図４】
0004090097.tif 000005